(57)【要約】  本発明はページングメッセージの送受信方法及び関連装置を開示し、プライマリキャリアにおいてのみページングを送信でき、セカンダリキャリアにおいてページングを送信できないため、システム全体のページング容量は限られており、したがって多数のＮＢ−ＩｏＴ端末のためによりよいサービスを提供することができないという従来の問題点を解決する。前記方法では、端末が、基地局により送信されたシステム情報を受信するステップと、前記端末が、前記ページングメッセージが受信されることを許可するためのキャリアの情報及び所定のルールに基づき、ページングキャリアを決定するステップと、前記端末が、前記ページングキャリアにおいて、前記基地局により送信されたページングメッセージを受信するステップとを備え、前記ページングキャリアは、前記基地局のプライマリキャリアであるか、または、セカンダリキャリアであり、前記システム情報には、ページングメッセージが受信されることを許可するためのキャリアの情報が含まれる。【選択図】図１
2019525649.tif 000002
【特許請求の範囲】
【請求項１】
端末が、基地局により送信されたシステム情報を受信するステップと、
前記端末が、前記ページングメッセージが受信されることを許可するためのキャリアの情報及び所定のルールに基づき、ページングキャリアを決定するステップと、
前記端末が、前記ページングキャリアにおいて、前記基地局により送信されたページングメッセージを受信するステップと、を含み、
前記システム情報には、ページングメッセージが受信されることを許可するためのキャリアの情報が含まれ、
前記ページングキャリアは、前記基地局のプライマリキャリアであるか、または、セカンダリキャリアであることを特徴とするページングメッセージの受信方法。
【請求項２】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項１に記載のページングメッセージの受信方法。
【請求項３】
前記端末が、前記ページングメッセージが受信されることを許可するためのキャリアの情報及び所定のルールに基づき、ページングキャリアを決定する場合、
前記端末は、数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定されることを特徴とする請求項１に記載のページングメッセージの受信方法。
【請求項４】
前記端末が、前記ページングメッセージが受信されることを許可するためのキャリアの情報及び所定のルールに基づき、ページングキャリアを決定する場合、
前記端末は、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000011
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定されることを特徴とする請求項１に記載のページングメッセージの受信方法。
【請求項５】
前記端末が、前記ページングキャリアにおいて、前記基地局により送信されたページングメッセージを受信する場合、
前記端末は、前記ページングキャリアに常駐し、前記ページングキャリアにおいて、前記基地局により送信されたページングメッセージを受信することを特徴とする請求項１乃至４のいずれか１項に記載のページングメッセージの受信方法。
【請求項６】
前記端末が、前記ページングキャリアにおいて、前記基地局により送信されたページングメッセージを受信する場合、
前記ページングキャリアが前記基地局のプライマリキャリアではなければ、前記端末は、前記基地局のプライマリキャリアに常駐し、前記ページングキャリアのページング時点で、前記ページングキャリアにおいて、前記基地局により送信されたページングメッセージを受信することを特徴とする請求項１乃至４のいずれか１項に記載のページングメッセージの受信方法。
【請求項７】
前記ページングキャリアがセカンダリキャリアであれば、前記端末は、前記セカンダリキャリア上で送信されるシステム情報更新の通知を監視し、前記通知を受信した後、プライマリキャリアにおいて、更新後のシステム情報を受信することを特徴とする請求項１乃至４のいずれか１項に記載のページングメッセージの受信方法。
【請求項８】
前記ページングキャリアがセカンダリキャリアであれば、前記端末は、前記ページングキャリアと周辺セルのプライマリキャリアのチャネル品質を比較し、比較結果に基づいてセルを再選択することを特徴とする請求項５に記載のページングメッセージの受信方法。
【請求項９】
基地局が、システム情報をブロードキャストするステップと、
前記基地局が、前記ページングメッセージが受信されることを許可するためのキャリアにおいて、ページングメッセージを送信するステップと、を含み、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアであることを特徴とするページングメッセージの送信方法。
【請求項１０】
前記ページングメッセージが受信されることを許可するためのキャリアの情報は、
キャリアのダウンリンク動作周波数と
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項９に記載のページングメッセージの送信方法。
【請求項１１】
前記基地局は、システム情報が更新される場合、前記ページングメッセージが受信されることを許可するためのキャリアにより、システム情報更新の通知を送信することを特徴とする請求項９に記載のページングメッセージの送信方法。
【請求項１２】
前記基地局は、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知することを特徴とする請求項９乃至１１のいずれか１項に記載のページングメッセージの送信方法。
【請求項１３】
前記基地局が、前記ページングメッセージが受信されることを許可するためのキャリアにおいて、ページングメッセージを送信する前、
前記基地局は、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定することを特徴とする請求項９乃至１２のいずれか１項に記載のページングメッセージの送信方法。
【請求項１４】
基地局により送信されたシステム情報を受信する第１受信モジュールと、
前記ページングメッセージが受信されることを許可するためのキャリアの情報及び所定のルールに基づき、ページングキャリアを決定する処理モジュールと、
前記ページングキャリアにおいて、前記基地局により送信されたページングメッセージを受信する第２受信モジュールと、を備え、
前記システム情報には、ページングメッセージが受信されることを許可するためのキャリアの情報が含まれ、
前記ページングキャリアは、前記基地局のプライマリキャリアであるか、または、セカンダリキャリアであることを特徴とする端末。
【請求項１５】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項１４に記載の端末。
【請求項１６】
前記処理モジュールは、
数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定されることを特徴とする請求項１４に記載の端末。
【請求項１７】
前記処理モジュールは、
数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000012
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定されることを特徴とする請求項１４に記載の端末。
【請求項１８】
前記第２受信モジュールは、
前記ページングキャリアに常駐し、前記ページングキャリアにおいて、前記基地局により送信されたページングメッセージを受信することを特徴とする請求項１４乃至１７のいずれか１項に記載の端末。
【請求項１９】
前記第２受信モジュールは、
前記ページングキャリアが前記基地局のプライマリキャリアではなければ、前記基地局のプライマリキャリアに常駐し、前記ページングキャリアのページング時点で、前記ページングキャリアにおいて、前記基地局により送信されたページングメッセージを受信することを特徴とする請求項１４乃至１７のいずれか１項に記載の端末。
【請求項２０】
前記第２受信モジュールは、
前記ページングキャリアがセカンダリキャリアであれば、前記セカンダリキャリア上で送信されるシステム情報更新の通知を監視し、前記通知を受信した後、プライマリキャリアにおいて、更新後のシステム情報を受信することを特徴とする請求項１４乃至１７のいずれか１項に記載の端末。
【請求項２１】
前記処理モジュールは、
前記ページングキャリアがセカンダリキャリアであれば、前記ページングキャリアと周辺セルのプライマリキャリアのチャネル品質を比較し、比較結果に基づいてセルを再選択することを特徴とする請求項１８に記載の端末。
【請求項２２】
システム情報をブロードキャストするブロードキャストモジュールと、
前記ページングメッセージが受信されることを許可するためのキャリアにおいて、ページングメッセージを送信する送信モジュールと、を備え、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアであることを特徴とする基地局。
【請求項２３】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項２２に記載の基地局。
【請求項２４】
前記送信モジュールは、
システム情報が更新される場合、前記ページングメッセージが受信されることを許可するためのキャリアにより、システム情報更新の通知を送信することを特徴とする請求項２２に記載の基地局。
【請求項２５】
前記送信モジュールは、
端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知することを特徴とする請求項２２乃至２４のいずれか１項に記載の基地局。
【請求項２６】
前記送信モジュールが、前記ページングメッセージが受信されることを許可するためのキャリアにおいて、ページングメッセージを送信する前、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する受信モジュールをさらに備えることを特徴とする請求項２２乃至２４のいずれか１項に記載の基地局。
【請求項２７】
プロセッサと、メモリと、送受信機と、を備え、
前記送受信機は、プロセッサの制御によりデータを送受信し、
前記メモリは、プリセットされたプログラムを格納し、
前記プロセッサは、メモリに格納されたプログラムを読み出し、
送受信機により、基地局により送信されたシステム情報を受信し、前記システム情報には、ページングメッセージが受信されることを許可するためのキャリアの情報が含まれ、
前記ページングメッセージが受信されることを許可するためのキャリアの情報及び所定のルールに基づき、ページングキャリアを決定し、前記ページングキャリアは、前記基地局のプライマリキャリアであるか、または、セカンダリキャリアであり、
送受信機により、前記ページングキャリアにおいて、前記基地局により送信されたページングメッセージを受信することを特徴とする端末。
【請求項２８】
プロセッサと、メモリと、送受信機と、を備え、
前記送受信機は、プロセッサの制御によりデータを送受信し、メモリは、プリセットされたプログラムを格納し、
前記プロセッサは、メモリに格納されたプログラムを読み出し、送受信機により、システム情報をブロードキャストし、前記システム情報には、ページングメッセージが受信されることを許可するためのキャリアの情報が含まれ、
前記ページングメッセージが受信されることを許可するためのキャリアにおいて、ページングメッセージを送信するように、受信機に指示し、前記ページングメッセージが受信されることを許可するためのキャリアは、プライマリキャリアであるか、または、セカンダリキャリアであることを特徴とする基地局。
【発明の詳細な説明】
【技術分野】
【０００１】
本出願は、２０１６年０８月１２日に中国特許局に提出され、出願番号が２０１６１０６６６４８４．２であり、発明の名称が「ページングメッセージの送受信方法及び関連装置」である中国特許出願を基礎とする優先権を主張し、その開示の全てをここに取り込む。
【０００２】
本発明は通信技術分野に関し、特に、ページングメッセージの送受信方法及び関連装置に関する。
【背景技術】
【０００３】
１、ＭＴＣの紹介
マシンタイプコミュニケーション（Ｍａｃｈｉｎｅ  Ｔｙｐｅ  Ｃｏｍｍｕｎｉｃａｔｉｏｎ，ＭＴＣ）は、様々な異なる通信技術、例えば、機械間通信、機械制御通信、ヒューマンコンピュータインタラクション通信、モバイルインターネット通信などを含み、これらはすべてシステムに統合されている。サービスはおそらくユーザ機器市場全体の３分の１しか占めておらず、将来的にはより多くのマシン間通信サービスが（狭帯域幅のシステムで）存在するようになるだろう。
【０００４】
既存のモバイル通信ネットワークは、人と人とのコミュニケーションのために設計されており、例えば、人と人とのコミュニケーションのためにネットワークの容量が決定されている。モバイル通信ネットワークの機構は、狭帯域幅を有するシステムにおける通信の特性に従って最適化され、その結果、狭帯域幅を有するシステムにおいてより良い通信が存在する一方で、従来の人間対人間の通信にはほとんど影響を及ぼさない。
【０００５】
２、ＮＢ−ＩｏＴの紹介
狭帯域モノのインターネット（Ｎａｒｒｏｗ  Ｂａｎｄ  Ｉｎｔｅｒｎｅｔ  ｏｆ  Ｔｈｉｎｇｓ，ＮＢ−ＩｏＴ）の作業項目（Ｗｏｒｋ  Ｉｔｅｍ，ＷＩ）は、３ＧＰＰリリース１３プロジェクト（Ｒｅｌｅａｓｅ  １３）において確認され、開始されている。
【０００６】
狭帯域モノのインターネットＷＩの目的は、セルラーモノのインターネット（Ｃｅｌｌｕｌａｒ  Ｉｎｔｅｒｎｅｔ  ｏｆ  Ｔｈｉｎｇｓ，ＣＩｏＴ）の無線アクセス技術を標準化することであり、この技術は、ロングタームエボリューション（Ｌｏｎｇ  Ｔｅｒｍ  Ｅｖｏｌｕｔｉｏｎ，ＬＴＥ）／ＬＴＥまたはＬＴＥアドバンスト（ＬＴＥ−Ａｄｖａｎｃｅｄ，ＬＴＥ−Ａ）に基づいて拡張される。一般的に屋内カバレッジの向上、低速、低遅延感度、デバイスの低コスト、デバイスの低消費電力、多数のアクセスデバイスのサポート、及び最適化されたネットワークアーキテクチャなどを含むネットワーク特性または目標を主に考慮する。
【０００７】
既存のＮＢ−ＩｏＴ通信は以下の特徴を有する。
ＮＢ−ＩＯＴ端末（Ｕｓｅｒ  Ｅｑｕｉｐｍｅｎｔ，ＵＥ）は、移動性が低い。
ＮＢ−ＩＯＴ端末がネットワーク側とデータを送信する期間は制御可能であり、すなわち、ＮＢ−ＩＯＴ端末はネットワーク指定期間内にしかアクセスできない。
ＮＢ−ＩＯＴ端末とネットワーク側との間のデータ伝送は、高度にリアルタイムである必要はない、すなわち、時間容認性がある。
ＮＢ−ＩＯＴ端末はエネルギー制限されており、極めて低い電力を消費することが要求される。
ＮＢ−ＩＯＴ端末とネットワーク側との間では、少量のデータの情報だけが伝送される。
ＮＢ−ＩＯＴ端末の実施の複雑さは低い等。
【０００８】
ＮＢ−ＩＯＴ端末は、通信の特性のうちの１つまたは複数を有し得る。
【０００９】
１つのＮＢ−ＩｏＴセルには、１つのプライマリキャリアと複数のセカンダリキャリアとがある。プライマリキャリアにおいて、プライマリ同期信号（Ｐｒｉｍａｒｙ  Ｓｙｎｃｈｒｏｎｉｚａｔｉｏｎ  Ｓｉｇｎａｌ，ＰＳＳ）、セカンダリ同期信号（Ｓｅｃｏｎｄａｒｙ  Ｓｙｎｃｈｒｏｎｉｚａｔｉｏｎ  Ｓｉｇｎａｌ，ＳＳＳ）、ＰＢＣＨ（Ｐｈｙｓｉｃａｌ  Ｂｒｏａｄｃａｓｔ  Ｃｈａｎｎｅｌ，ＰＢＣＨ）及びシステム情報を送信する。また、ページング及びランダムアクセスは、プライマリキャリアのみにおいて行うことができる。アイドル状態のユーザは、プライマリキャリアのみにおいて常駐することができる。ＵＥが接続状態に入った後、基地局は、ＵＥがセカンダリキャリアにおいて動作するように設定する。ＵＥは、１つのキャリア上でしか動作することができない、すなわち、プライマリキャリアとセカンダリキャリア上で同時に動作することはできない。
【００１０】
ＮＢ−ＩｏＴシステムでは、プライマリキャリアにおいてのみページングを送信でき、セカンダリキャリアにおいてページングを送信できないため、システム全体のページング容量は限られており、したがって、多数のＮＢ−ＩｏＴ端末のためによりよいサービスを提供することができない。
【発明の概要】
【発明が解決しようとする課題】
【００１１】
本発明に係る実施例は、ページングメッセージの送受信方法及び関連装置を提供し、プライマリキャリアにおいてのみページングを送信でき、セカンダリキャリアにおいてページングを送信できないため、システム全体のページング容量は限られており、したがって多数のＮＢ−ＩｏＴ端末のためによりよいサービスを提供することができないという従来の問題点を解決する。
【課題を解決するための手段】
【００１２】
本発明に係る実施例は以下の技術案を提供する。
【００１３】
第１態様によれば、本発明の実施例に係るページングメッセージの受信方法は、
端末が、基地局により送信されたシステム情報を受信するステップと、
前記端末が、前記ページングメッセージが受信されることを許可するためのキャリアの情報及び所定のルールに基づき、ページングキャリアを決定するステップと、
前記端末が、前記ページングキャリアにおいて、前記基地局により送信されたページングメッセージを受信するステップと、を含み、
前記システム情報には、ページングメッセージが受信されることを許可するためのキャリアの情報が含まれ、
前記ページングキャリアは、前記基地局のプライマリキャリアであるか、または、セカンダリキャリアである。
【００１４】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００１５】
可能な実施形態では、前記端末が、前記ページングメッセージが受信されることを許可するためのキャリアの情報及び所定のルールに基づき、ページングキャリアを決定する場合、
前記端末は、数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定される。
【００１６】
可能な実施形態では、前記端末が、前記ページングメッセージが受信されることを許可するためのキャリアの情報及び所定のルールに基づき、ページングキャリアを決定する場合、
前記端末は、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000003
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【００１７】
可能な実施形態では、前記端末が、前記ページングキャリアにおいて、前記基地局により送信されたページングメッセージを受信する場合、前記端末は、前記ページングキャリアに常駐し、前記ページングキャリアにおいて、前記基地局により送信されたページングメッセージを受信する。
【００１８】
可能な実施形態では、前記端末が、前記ページングキャリアにおいて、前記基地局により送信されたページングメッセージを受信する場合、
前記ページングキャリアが前記基地局のプライマリキャリアではなければ、前記端末は、前記基地局のプライマリキャリアに常駐し、前記ページングキャリアのページング時点で、前記ページングキャリアにおいて、前記基地局により送信されたページングメッセージを受信する。
【００１９】
可能な実施形態では、前記方法において、前記ページングキャリアがセカンダリキャリアであれば、前記端末は、前記セカンダリキャリア上で送信されるシステム情報更新の通知を監視し、前記通知を受信した後、プライマリキャリアにおいて、更新後のシステム情報を受信する。
【００２０】
可能な実施形態では、前記方法において、前記ページングキャリアがセカンダリキャリアであれば、前記端末は、前記ページングキャリアと周辺セルのプライマリキャリアのチャネル品質を比較し、比較結果に基づいてセルを再選択する。
【００２１】
第２態様によれば、本発明の実施例に係るページングメッセージの送信方法は、
基地局が、システム情報をブロードキャストするステップと、
前記基地局が、前記ページングメッセージが受信されることを許可するためのキャリアにおいて、ページングメッセージを送信するステップと、を備え、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアである。
【００２２】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００２３】
可能な実施形態では、前記方法において、前記基地局は、システム情報が更新される場合、前記ページングメッセージが受信されることを許可するためのキャリアにより、システム情報更新の通知を送信する。
【００２４】
可能な実施形態では、前記方法において、前記基地局は、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知する。
【００２５】
可能な実施形態では、前記基地局が、前記ページングメッセージが受信されることを許可するためのキャリアにおいて、ページングメッセージを送信する前、前記方法において、前記基地局は、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する。
【００２６】
第３態様によれば、本発明の実施例に係る端末は、
基地局により送信されたシステム情報を受信する第１受信モジュールと、
前記ページングメッセージが受信されることを許可するためのキャリアの情報及び所定のルールに基づき、ページングキャリアを決定する処理モジュールと、
前記ページングキャリアにおいて、前記基地局により送信されたページングメッセージを受信する第２受信モジュールと、を備え、
前記システム情報には、ページングメッセージが受信されることを許可するためのキャリアの情報が含まれ、
前記ページングキャリアは、前記基地局のプライマリキャリアであるか、または、セカンダリキャリアである。
【００２７】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００２８】
可能な実施形態では、前記処理モジュールは、
数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定される。
【００２９】
可能な実施形態では、前記処理モジュールは、
数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000004
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【００３０】
可能な実施形態では、前記第２受信モジュールは、前記ページングキャリアに常駐し、前記ページングキャリアにおいて、前記基地局により送信されたページングメッセージを受信する。
【００３１】
可能な実施形態では、前記第２受信モジュールは、前記ページングキャリアが前記基地局のプライマリキャリアではなければ、前記基地局のプライマリキャリアに常駐し、前記ページングキャリアのページング時点で、前記ページングキャリアにおいて、前記基地局により送信されたページングメッセージを受信する。
【００３２】
可能な実施形態では、前記第２受信モジュールは、前記ページングキャリアがセカンダリキャリアであれば、前記セカンダリキャリア上で送信されるシステム情報更新の通知を監視し、前記通知を受信した後、プライマリキャリアにおいて、更新後のシステム情報を受信する。
【００３３】
可能な実施形態では、前記処理モジュールは、前記ページングキャリアがセカンダリキャリアであれば、前記ページングキャリアと周辺セルのプライマリキャリアのチャネル品質を比較し、比較結果に基づいてセルを再選択する。
【００３４】
第４態様によれば、本発明の実施例に係る基地局は、
システム情報をブロードキャストするブロードキャストモジュールと、
前記ページングメッセージが受信されることを許可するためのキャリアにおいて、ページングメッセージを送信する送信モジュールと、を備え、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアである。
【００３５】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００３６】
可能な実施形態では、前記送信モジュールは、システム情報が更新される場合、前記ページングメッセージが受信されることを許可するためのキャリアにより、システム情報更新の通知を送信する。
【００３７】
可能な実施形態では、前記送信モジュールは、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知する。
【００３８】
可能な実施形態では、前記送信モジュールが前記ページングメッセージが受信されることを許可するためのキャリアにおいて、ページングメッセージを送信する前、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する受信モジュールをさらに備える。
【００３９】
第５態様によれば、本発明の実施例に係る端末は、プロセッサと、メモリと、送受信機と、を備え、前記送受信機は、プロセッサの制御によりデータを送受信し、前記メモリは、プリセットされたプログラムを格納し、
前記プロセッサは、メモリに格納されたプログラムを読み出し、
送受信機により、基地局により送信されたシステム情報を受信し、前記システム情報には、ページングメッセージが受信されることを許可するためのキャリアの情報が含まれ、
前記ページングメッセージが受信されることを許可するためのキャリアの情報及び所定のルールに基づき、ページングキャリアを決定し、前記ページングキャリアは、前記基地局のプライマリキャリアであるか、または、セカンダリキャリアであり、
送受信機により、前記ページングキャリアにおいて、前記基地局により送信されたページングメッセージを受信する。
【００４０】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００４１】
可能な実施形態では、プロセッサは、数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定される。
【００４２】
可能な実施形態では、プロセッサは、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たす。
ＰＣｉｎｔ＜（ｎＢ０）／ｎＢｍｉｎの場合、ＰＣｉｎｄｅｘは０であり、
2019525649.tif 000005
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【００４３】
可能な実施形態では、プロセッサは、前記ページングキャリアに常駐し、前記ページングキャリアにおいて、前記基地局により送信されたページングメッセージを受信するように、送受信機に指示する。
【００４４】
可能な実施形態では、前記ページングキャリアが前記基地局のプライマリキャリアではなければ、プロセッサは、前記基地局のプライマリキャリアに常駐し、前記ページングキャリアのページング時点で、前記ページングキャリアにおいて、前記基地局により送信されたページングメッセージを受信するように、送受信機を指示する。
【００４５】
可能な実施形態では、前記ページングキャリアがセカンダリキャリアであれば、プロセッサは、送受信機により、前記セカンダリキャリア上で送信されるシステム情報更新の通知を監視し、前記通知を受信した後、プライマリキャリアにおいて、更新後のシステム情報を受信する。
【００４６】
可能な実施形態では、前記ページングキャリアがセカンダリキャリアであれば、プロセッサは、前記ページングキャリアと周辺セルのプライマリキャリアのチャネル品質を比較し、比較結果に基づいてセルを再選択する。
【００４７】
第６態様によれば、本発明の実施例に係る基地局は、プロセッサと、メモリと、送受信機と、を備え、前記送受信機は、プロセッサの制御によりデータを送受信し、前記メモリは、プリセットされたプログラムを格納し、
前記プロセッサは、メモリに格納されたプログラムを読み出し、送受信機により、システム情報をブロードキャストし、前記システム情報には、ページングメッセージが受信されることを許可するためのキャリアの情報が含まれ、
前記ページングメッセージが受信されることを許可するためのキャリアにおいて、ページングメッセージを送信するように、受信機に指示し、前記ページングメッセージが受信されることを許可するためのキャリアは、プライマリキャリアであるか、または、セカンダリキャリアである。
【００４８】
可能な実施形態では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含む。
【００４９】
可能な実施形態では、プロセッサシステム情報が更新される場合、前記ページングメッセージが受信されることを許可するためのキャリアにより、システム情報更新の通知を送信するように、送受信機を指示する。
【００５０】
可能な実施形態では、プロセッサは、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知する。
【００５１】
可能な実施形態では、プロセッサは、前記ページングメッセージが受信されることを許可するためのキャリアにおいて、ページングメッセージを送信するように、送受信機に指示する前、送受信機により、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する。
【発明の効果】
【００５２】
上記技術案によれば、本発明に係る実施例では、端末は、基地局により送信されたシステム情報を受信し、当該システム情報には、ページングメッセージが受信されることを許可するためのキャリアの情報が含まれ、当該ページングメッセージが受信されることを許可するためのキャリアの情報及び所定のルールに基づき、ページングキャリアを決定した後、当該ページングキャリアにおいて、基地局により送信されたページングメッセージを受信する。当該ページングキャリアは、基地局のプライマリキャリアであるか、またはセカンダリキャリアであり、これにより、プライマリキャリア及びセカンダリキャリアにおいて、ページングを送信することができ、ＮＢ−ＩｏＴシステムのページング容量を向上する。ＮＢ−ＩｏＴシステムでは、プライマリキャリアにおいてのみページングを送信でき、セカンダリキャリアにおいてページングを送信できないため、システム全体のページング容量は限られており、したがって多数のＮＢ−ＩｏＴ端末のためによりよいサービスを提供することができないという従来の問題点を解決する。
【図面の簡単な説明】
【００５３】
【図１】本発明の実施例に係る端末がページングメッセージを受信するプロセスを示す図である。
【図２】本発明の実施例に係る基地局がページングメッセージを送信するプロセスを示す図である。
【図３】本発明の実施例に係る端末の構成図である。
【図４】本発明の実施例に係る基地局の構成図である。
【図５】本発明の実施例に係る他の端末の構成図である。
【図６】本発明の実施例に係る他の基地局の構成図である。
【発明を実施するための形態】
【００５４】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００５５】
本発明に係る実施例では、図１に示すように、端末がページングメッセージを受信するプロセスには、以下のステップが含まれる。
【００５６】
ステップ１０１において、端末は、基地局により送信されたシステム情報を受信し、ここで、システム情報には、ページングメッセージが受信されることを許可するためのキャリアの情報が含まれる。
【００５７】
具体的に、当該端末は、セカンダリキャリアページングメッセージを受信する機能を有し、アイドル状態になっている端末である。
【００５８】
本発明に係る実施例では、ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むが、これに限定しない。
【００５９】
ステップ１０２において、端末は、ページングメッセージが受信されることを許可するためのキャリアの情報及び所定のルールに基づき、ページングキャリアを決定し、ここで、ページングキャリアは、基地局のプライマリキャリアであるか、またはセカンダリキャリアである。
【００６０】
本発明に係る実施例では、端末が、ページングメッセージが受信されることを許可するためのキャリアの情報及び所定のルールに基づき、ページングキャリアを決定する方式として、以下の２つがある。
【００６１】
第１：端末は、数式ＰＣ＝ｆｌｏｏｒ（ＵＥ＿ＩＤ／（Ｎ＊Ｎｓ））ｍｏｄＮｃによりページングキャリアを決定し、ここで、ｆｌｏｏｒ（）は切り捨てを示し、ｍｏｄはモジュラス演算を示し、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定され、ｍｉｎ（）は最小値にすることを示し、ｍａｘ（）は最大値にすることを示す。
【００６２】
第２：端末は、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たす。
ＰＣｉｎｔ＜（ｎＢ０）／ｎＢｍｉｎの場合、ＰＣｉｎｄｅｘは０であり、
2019525649.tif 000006
の場合、対応するＰＣｉｎｄｅｘの値はｉであり、ｉは整数であり、ｉ≧１である。
ここで、ｆｌｏｏｒ（）は切り捨てを示し、ｍｏｄはモジュラス演算を示し、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【００６３】
１つの具体的な実施例では、第１または第２の実現方式において、ＵＥ＿ＩＤはＩＭＳＩｍｏｄ４０９６である。
【００６４】
ステップ１０３において、端末は、ページングキャリアにおいて、基地局により送信されたページングメッセージを受信する。
【００６５】
本発明に係る実施例では、端末が、ページングキャリアにおいて、基地局により送信されたページングメッセージを受信する実現方式として、以下の２つがある。
【００６６】
方式１：前記端末は、前記ページングキャリアに常駐し、前記ページングキャリアにおいて、前記基地局により送信されたページングメッセージを受信する。
【００６７】
方式１では、ページングキャリアは、基地局のプライマリキャリアであるか、または、セカンダリキャリアである。
【００６８】
方式２では、ページングキャリアが基地局のプライマリキャリアではなければ、端末は、基地局のプライマリキャリアに常駐し、ページングキャリアのページング時点で、当該ページングキャリアにおいて、基地局により送信されたページングメッセージを受信する。
【００６９】
本発明に係る実施例では、前記ページングキャリアがセカンダリキャリアであれば、前記端末は、セカンダリキャリアに常駐する場合、前記セカンダリキャリア上で送信されるシステム情報更新の通知を監視し、前記通知を受信した後、プライマリキャリアにおいて、更新後のシステム情報を受信する。好ましくは、端末は、システム情報の更新が完成した後、最新のシステム情報に基づき、ページングキャリアを選択する。選択されたプロセスは上述と同じであるため、ここでの繰り返しの説明は省略する。
【００７０】
具体的に、前記端末は、セカンダリキャリアに常駐する場合、ページングメッセージまたはナローバンド物理ダウンリンク制御チャネル（Ｎａｒｒｏｗｂａｎｄ  Ｐｈｙｓｉｃａｌ  Ｄｏｗｎｌｉｎｋ  Ｃｏｎｔｒｏｌ  ｃｈａｎｎｅｌ，ＮＰＤＣＣＨ）を監視することにより、システム情報更新通知を受信する。
【００７１】
これに対応して、システム内のセカンダリキャリア上に存在する可能性がある端末がある場合、基地局は、システム情報が更新されるときに、ページングをサポートするセカンダリキャリアにおいて、システム情報更新通知を搬送するＮＰＤＣＣＨまたはページングメッセージを送信する。
【００７２】
本発明に係る実施例では、前記ページングキャリアがセカンダリキャリアであれば、前記端末は、前記ページングキャリアと周辺セルのプライマリキャリアのチャネル品質を比較し、比較結果に基づいてセルを再選択する。
【００７３】
同様な発明思想に基づき、本発明に係る実施例では、図２に示すように、基地局がページングメッセージを送信するプロセスは以下のとおりである。
【００７４】
ステップ２０１において、基地局は、システム情報をブロードキャストし、ここで、システム情報には、ページングメッセージが受信されることを許可するためのキャリアの情報が含まれる。
【００７５】
本発明に係る実施例では、前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むが、これに限定しない。
【００７６】
ステップ２０２において、基地局は、ページングメッセージが受信されることを許可するためのキャリアにおいて、ページングメッセージを送信し、前記ページングメッセージが受信されることを許可するためのキャリアは、プライマリキャリアであるか、または、セカンダリキャリアである。
【００７７】
本発明に係る実施例では、基地局は、システム情報が更新される場合、前記ページングメッセージが受信されることを許可するためのキャリアにより、システム情報更新の通知を送信する。
【００７８】
これに対応して、システム内のセカンダリキャリア上に常駐する可能性がある端末がある場合、基地局は、システム情報が更新される場合、ページングをサポートするセカンダリキャリアにおいて、システム情報更新通知を搬送するＮＰＤＣＣＨまたはページングメッセージを送信する。
【００７９】
本発明に係る実施例では、基地局は、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（Ｍｏｂｉｌｉｔｙ  Ｍａｎａｇｅｍｅｎｔ  Ｅｎｔｉｔｙ，ＭＭＥ）に通知する。例えば、基地局は、端末の接続を解放する場合、前記端末がセカンダリキャリアにおいてページングメッセージを受信する機能をサポートするかどうかをＭＭＥに通知する。
【００８０】
好ましくは、前記基地局は、前記ページングメッセージが受信されることを許可するためのキャリアにおいて、ページングメッセージを送信する前、ＭＭＥにより通知さらた端末がセカンダリキャリアにおいてページングメッセージを受信する機能をサポートするかどうかを受信し、前記端末がセカンダリキャリアにおいてページングメッセージを受信する機能をサポートするかどうかを決定する。
【００８１】
具体的に、ＭＭＥは、その後に、端末をページングする場合、前記端末がセカンダリキャリアにおいてページングメッセージを受信する機能をサポートするかどうかを、ページングメッセージを送信する必要がある基地局に送信する。例えば、Ｓ１により、前記端末がセカンダリキャリアにおいてページングメッセージを受信する機能をサポートするかどうかを、ページングメッセージを送信する基地局に通知する。ページングメッセージを送信する基地局は、ページングメッセージを送信する場合、セカンダリキャリアにおいてページングメッセージを受信することのみをサポートする端末に、ページングメッセージを送信する。端末がセカンダリキャリアにおけるページングメッセージの受信をサポートしなければ、基地局は、従来の方式でページングメッセージを送信し、プライマリキャリアのみにおいて当該端末をページングする。
【００８２】
ページングメッセージの送信および受信は、そのいくつかの具体的な実施例に関連して以下に詳細に説明される。
【００８３】
第１の具体的な実施例：ページングキャリアの数式１に関する。
【００８４】
当該具体的な実施例では、基地局は、現在のセルにおいてページングメッセージを受信することができる３つのセカンダリキャリアに関する情報をプライマリキャリアのシステム情報でブロードキャストする。ここで、情報は、以下のうちの任意の１つまたは複数を含む。
セカンダリキャリアのダウンリンク動作周波数と、セカンダリキャリアのアップリンク動作周波数と、セカンダリキャリアインデックス（ｉｎｄｅｘ）（当該セカンダリキャリアインデックスは暗黙的または明示的に搬送され得る）と、利用可能なダウンリンクサブフレームのビットマップ（ｂｉｔｍａｐ）設定と、ダウンリンクタイムスロット（ｇａｐ）設定と、帯域内（ｉｎｂａｎｄ）キャリア情報等。
【００８５】
プライマリキャリアのｉｎｄｅｘは０であり、三つのセカンダリキャリアのｉｎｄｅｘはそれぞれ１、２および３である。さらに、基地局のシステム情報は、ｎＢとして表されるページング密度を含み、セル内のそれぞれのキャリア（プライマリキャリア及びセカンダリキャリアを含む）のページング密度は当該ｎＢ値である。
【００８６】
基地局のシステム情報にデフォルトページング周期Ｔがさらにブロードキャストされ、当該セルの全てのキャリア（プライマリキャリア及びセカンダリキャリアを含む）のデフォルトページング周期に当該値が用いられる。具体的には、当該デフォルトのページング周期Ｔは１２８無線フレームである。当該具体的な実施例では、ｎＢは２Ｔであり、ここで、Ｔは、基地局によってブロードキャストされたデフォルトのページング周期である。
【００８７】
アイドル状態になった端末のＵＥ＿ＩＤは２５７であり、当該端末は、セカンダリキャリアにおけるページングメッセージの受信をサポートする。例えば、当該端末はマルチキャリア機能をサポートするため、当該端末は、システム情報内のページングメッセージを受信することができるセカンダリキャリア情報を受信すると、数式１によりページングキャリアのインデックスを計算する。当該数式１は次のように表される。
ＰＣ＝ｆｌｏｏｒ（ＵＥ＿ＩＤ／（Ｎ＊Ｎｓ））ｍｏｄＮｃ
【００８８】
数式１において、ＰＣは、ページングキャリアのインデックスを示し、当該ページングキャリアは、端末がページングメッセージを受信するキャリアである。当該数式１により算出されたページングキャリアのインデックス及びシステム情報内のページングキャリアのインデックスは、１対１の対応関係を有する。Ｔはデフォルトのページング周期を示し、基地局によってブロードキャストされたシステム情報に含まれる。当該具体的な実施例に係るＴの値は１２８個の無線フレームである。ｎＢはページング密度を示し、基地局によってブロードキャストされたシステム情報に含まれる。当該具体的な実施例では２Ｔとする。Ｎはｍｉｎ（Ｔ，ｎＢ）として示され、当該具体的な実施例に係るＮの値はＴである。Ｎｓはｍａｘ（１，ｎＢ／Ｔ）として示され、当該具体的な実施例に係るＮｓを２とする。ＵＥ＿ＩＤは、ＩＭＳＩｍｏｄ４０９６として示され、当該具体的な実施例に係るＵＥ＿ＩＤの値は２５７である。Ｎｃはページングキャリアの総数を示し、当該ページングキャリアの総数は、ページングを送信できるすべてのプライマリキャリア及びセカンダリキャリア数を含む。当該具体的な実施例に係るＮｃの値は４である。
【００８９】
端末は、数式１により、ＰＣ＝ｆｌｏｏｒ（ＵＥ＿ＩＤ／（Ｎ＊Ｎｓ））ｍｏｄＮｃ＝ｆｌｏｏｒ（２５７／２５６）ｍｏｄ４＝１を得る。よって、端末のページングキャリアは、インデックスが１であるセカンダリキャリアである。
【００９０】
端末は、インデックスが１であるセカンダリキャリアにおいてページングメッセージを受信する場合、以下２つの受信方式を有する。
第１：端末は、インデックスが１であるセカンダリキャリアに常駐し、ページングメッセージを受信する。
第２：端末はいつもプライマリキャリアに常駐し、インデックスが１であるセカンダリキャリアのページング時点のみで、当該セカンダリキャリアにおいてページングメッセージを受信する。
【００９１】
当該具体的な実施例では、基地局は、端末がセカンダリキャリアにおいてページングメッセージを受信する機能をサポートするかどうか（例えば、当該端末がマルチキャリアをサポートするかどうか）を取得し、当該情報をＭＭＥに通知する。例えば、基地局は、端末の接続を解放する場合、ＭＭＥに通知し、ＭＭＥは、その後に、当該端末をページングする場合、当該情報をページングメッセージを送信すべき基地局に通知する。例えば、Ｓ１により、当該情報をページングメッセージを送信する基地局に通知する。
【００９２】
基地局がページングメッセージを送信する場合、セカンダリキャリアにおいてページングメッセージを受信することのみをサポートする端末は、当該具体的な実施例に係る方式によって、当該ページングメッセージを送信する。端末がセカンダリキャリアにおけるページングメッセージの受信をサポートしなければ、基地局は、従来のページングメッセージ送信方式で、プライマリキャリアにおいて、当該端末をページングする。
【００９３】
第２の具体的な実施例：ページングキャリアの数式２に関する。
【００９４】
基地局は、現在のセルにおいてページングメッセージを受信することができる２つのセカンダリキャリア情報をプライマリキャリアのシステム情報でブロードキャストし、以下の１つまたは複数を含む。
セカンダリキャリアのダウンリンク動作周波数と、セカンダリキャリアのアップリンク動作周波数と、セカンダリキャリアインデックス（ｉｎｄｅｘ）（当該セカンダリキャリアインデックスは暗黙的または明示的に搬送され得る）と、利用可能なダウンリンクサブフレームのビットマップ（ｂｉｔｍａｐ）設定と、ダウンリンクタイムスロット（ｇａｐ）設定、帯域内（ｉｎｂａｎｄ）キャリア情報等。
ここで、２つのセカンダリキャリアのｉｎｄｅｘはそれぞれ１及び２である。
【００９５】
基地局のシステム情報に三つのページング密度（ｎＢ）値が含まれ、各キャリアは１つのページング密度値に対応する。ここで、プライマリキャリアのｎＢはＴ／２であり、Ｔは基地局によってブロードキャストされたデフォルトのページング周期である。セカンダリキャリア１のｎＢはＴである。セカンダリキャリア２のｎＢはＴ／２である。
【００９６】
基地局のシステム情報にデフォルトページング周期Ｔがさらにブロードキャストされ、当該セルの全てのキャリア（プライマリキャリア及びセカンダリキャリアを含む）のデフォルトのページングは、当該ページング周期Ｔを用いる。当該具体的な実施例に係るＴの値は１２８個の無線フレームである。
【００９７】
アイドル状態である端末のＵＥ＿ＩＤの値は１９３であり、当該端末がセカンダリキャリアにおいてページングメッセージを受信する（例えば、サポートマルチキャリア機能）ことをサポートすれば、当該端末は、システム情報内でページングメッセージを受信することができるセカンダリキャリア情報を受信すると、数式２によりページングキャリアを計算する。当該数式２は次のように表される。
ＰＣｉｎｔ＝ｆｌｏｏｒ（ＵＥ＿ＩＤ／ｎＢｍｉｎ）ｍｏｄ（ｎＢａｌｌ／ｎＢｍｉｎ）
ＰＣｉｎｔ＜（ｎＢ０）／ｎＢｍｉｎの場合、対応するＰＣｉｎｄｅｘは０であり、
2019525649.tif 000007
の場合、対応するＰＣｉｎｄｅｘの値はｉであり、ｉは整数であり、ｉ≧１である。
ここで、ＰＣｉｎｔはページングキャリア初期判定変数を示す。
ＰＣｉｎｄｅｘは、ページングキャリアのインデックスを示し、ページングキャリアは、端末がページングを受信するキャリアである。ここで、ＰＣ０は、ページングキャリアがライマリキャリアであることを示し、他のＰＣｉｎｄｅｘはセカンダリキャリアを示す。ＰＣｉｎｄｅｘ内のｉｎｄｅｘ及びシステム情報内のブロードキャストされたセカンダリキャリアｉｎｄｅｘは１対１である。
Ｔはデフォルトのページング周期を示し、当該デフォルトのページング周期は、基地局により、システム情報によりブロードキャストされ、当該具体的な実施例に係るＴの値は１２８個の無線フレームである。
ｎＢはページング密度を示し、基地局がシステム情報によりブロードキャストされる。
ｎＢａｎｃｈｏｒはプライマリキャリアのページング密度を示し、当該具体的な実施例に係るｎＢａｎｃｈｏｒの値はＴ／２であり、ｎＢｎｏｎ−ａｎｃｈｏｒはセカンダリキャリアページング密度を示し、当該具体的な実施例に係るカンダリキャリア１のｎＢｎｏｎ−ａｎｃｈｏｒの値はＴであり、セカンダリキャリア２のｎＢｎｏｎ−ａｎｃｈｏｒの値はＴ／２である。
ｎＢｍｉｎ＝ｍｉｎ（ｎＢａｎｃｈｏｒ，ｎＢｎｏｎ−ａｎｃｈｏｒ（ｓ））であり、当該具体的な実施例に係るｎＢｍｉｎの値はＴ／２である。
ｎＢａｌｌ＝ｎＢａｎｃｈｏｒ＋ｎＢｎｏｎ−ａｎｃｈｏｒ（ｓ）であり、当該具体的な実施例に係るｎＢａｌｌの値は２Ｔである。
ｎＢｉはあるキャリアのページング密度を示し、ｉ＝０，１，…，ｎＢａｌｌ−１である。ここで、ｎＢ０はプライマリキャリアのページング密度を示し、他のｎＢｉはセカンダリキャリアのページング密度を示し、ｉ及びシステム情報内のブロードキャストされたセカンダリキャリアｉｎｄｅｘと、１対１に対応する。当該具体的な実施例においてｎＢ０＝Ｔ／２であり、ｎＢ１＝Ｔであり、ｎＢ２＝Ｔ／２である。
ＵＥ＿ＩＤは、ＩＭＳＩｍｏｄ４０９６として示され、当該具体的な実施例に係るＵＥ＿ＩＤの値は１９３である。
【００９８】
数式２により、ＰＣｉｎｔ＝ｆｌｏｏｒ（ＵＥ＿ＩＤ／ｎＢｍｉｎ）ｍｏｄ（ｎＢａｌｌ／ｎＢｍｉｎ）＝ｆｌｏｏｒ（１９３／６４）ｍｏｄ４＝３が算出される。
さらに、
2019525649.tif 000008
即ち（ｎＢ０＋ｎＢ１）／ｎＢｍｉｎ≦ＰＣｉｎｔ＜（ｎＢ０＋ｎＢ１＋ｎＢ２）／ｎＢｍｉｎに基づき、ＰＣｉｎｔ＝３の場合、対応するＰＣｉｎｄｅｘが２であることを算出できる。よって、端末のページングキャリアは、ｉｎｄｅｘ＝２であるセカンダリキャリアである。
【００９９】
端末は、ｉｎｄｅｘ＝２であるセカンダリキャリアにおいてページングメッセージを受信する場合、以下の２つの受信方式を含む。
（１）端末は、インデックスが２であるセカンダリキャリアに常駐し、ページングメッセージを受信する。
（２）端末は、いつもプライマリキャリアに常駐し、インデックスが２であるセカンダリキャリアのページング時点のみで、当該セカンダリキャリアにおいてページングメッセージを受信する。
【０１００】
当該具体的な実施例では、基地局は、ＵＥがセカンダリキャリアにおいてページングメッセージを受信する機能をサポートするかどうか（例えば、ＵＥがマルチキャリアをサポートするかどうか）を受信し、かつ、当該情報をＭＭＥ（例えば、ＵＥ接続解放の場合）に通知し、ＭＭＥがその後に当該ＵＥをページングする場合、当該情報をページングメッセージを送信すべき基地局に通知する。例えば、Ｓ１により、当該情報をページングメッセージを送信する基地局に通知する。
【０１０１】
基地局がページングメッセージを送信する場合、セカンダリキャリアにおいてページングメッセージを受信することのみをサポートする端末は、当該具体的な実施例に係る方式によって、当該ページングメッセージを送信する。端末がセカンダリキャリアにおけるページングメッセージの受信をサポートしなければ、基地局は、従来のページングメッセージ送信方式によって、プライマリキャリアにおいて、当該端末をページングする。
【０１０２】
第３の具体的な実施例：セルを再選択する。
【０１０３】
端末がページングキャリア（セカンダリキャリアまたはプライマリキャリア）に常駐し、かつページングメッセージを受信する場合、端末は、現在常駐するページングキャリアと周辺他のセルのプライマリキャリアのチャネル品質を比較し、従来のプロトコールフローでセル再選択プロセスを開示する。
【０１０４】
第４の具体的な実施例：システム情報の更新
【０１０５】
端末がページングキャリア（セカンダリキャリアまたはプライマリキャリア）に常駐し、かつページングメッセージを受信する場合、端末は、ページングメッセージまたはＮＰＤＣＣＨを監視することにより、システム情報の更新通知を受信する。端末が更新通知を受信すれば、当該端末は、プライマリキャリアにおいて更新後のシステム情報を受信する。端末がシステム情報を受信した後、最新のシステム情報に基づき、ページングキャリアを選定して、かつ常駐する。
【０１０６】
これに対応して、システム内にセカンダリキャリアに常駐する端末がある場合、基地局は、システム情報が更新される場合、ページングをサポートするセカンダリキャリアにおいて、システム情報更新指示が含まれるＮＰＤＣＣＨまたはページングメッセージを送信する。
【０１０７】
第５の具体的な実施例：端末ページング受信機能の伝送
【０１０８】
基地局１は、端末がセカンダリキャリアにおいてページングメッセージを受信する機能をサポートするかどうか（例えば、端末がマルチキャリアをサポートするかどうか）を取得し、かつ、当該情報をＭＭＥ（例えば、ＵＥ接続解放の場合）に通知する。
【０１０９】
ＭＭＥがその後に当該基地局１をページングする場合、当該情報を、ページングメッセージを送信すべき基地局２及び基地局３に通知する。例えば、Ｓ１により、当該情報をページングメッセージを送信する基地局に通知する。
【０１１０】
基地局２及び基地局３がページングメッセージを送信する場合、セカンダリキャリアにおいてページングメッセージを受信することのみをサポートする端末は、第１の具体的な実施例または第２の具体的な実施例に係る方式でページングメッセージを送信する。端末がセカンダリキャリアにおけるページングメッセージの受信をサポートしなければ、基地局２及び基地局３は、従来のページングメッセージ送信方式で、プライマリキャリアにおいて、当該端末をページングする。
【０１１１】
同様な発明思想に基づき、本発明の実施例は、端末を提供する。当該端末の実施については方法の実施例の記載を参照することができるため、繰り返して説明しない。図３に示すように、当該端末は、
基地局により送信されたシステム情報を受信する第１受信モジュール３０１と、
前記ページングメッセージが受信されることを許可するためのキャリアの情報及び所定のルールに基づき、ページングキャリアを決定する処理モジュール３０２と、
前記ページングキャリアにおいて、前記基地局により送信されたページングメッセージを受信する第２受信モジュール３０３と、を備える。
【０１１２】
前記システム情報には、ページングメッセージが受信されることを許可するためのキャリアの情報が含まれる。前記ページングキャリアは、前記基地局のプライマリキャリアであるか、または、セカンダリキャリアである。
【０１１３】
可能な実施形態では、前記ページングメッセージが受信されることを許可するためのキャリアの情報は、キャリアのダウンリンク動作周波数と、キャリアのアップリンク動作周波数と、キャリアのインデックスを示す情報と、利用可能なダウンリンクサブフレームのビットマップ構成と、ダウンリンクタイムスロットの設定と、帯域内キャリア情報と、プライマリキャリアまたはセカンダリキャリアのページング密度と、プライマリキャリアまたはセカンダリキャリアのデフォルトのページング周期と、ページングメッセージの送信を許可するプライマリキャリア及びセカンダリキャリア数と、のうちの１つまたはそれらの任意の組み合わせを含む。
【０１１４】
可能な実施形態では、前記処理モジュールは、
数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定される。
【０１１５】
可能な実施形態では、前記処理モジュールは、
数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たす。
ＰＣｉｎｔ＜（ｎＢ０）／ｎＢｍｉｎの場合、ＰＣｉｎｄｅｘは０であり、
2019525649.tif 000009
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【０１１６】
可能な実施形態では、前記第２受信モジュールは、
前記ページングキャリアに常駐し、前記ページングキャリアにおいて、前記基地局により送信されたページングメッセージを受信する。
【０１１７】
可能な実施形態では、前記第２受信モジュールは、
前記ページングキャリアが前記基地局のプライマリキャリアではなければ、前記基地局のプライマリキャリアに常駐し、前記ページングキャリアのページング時点で、前記ページングキャリアにおいて、前記基地局により送信されたページングメッセージを受信する。
【０１１８】
可能な実施形態では、前記第２受信モジュールは、さらに、
前記ページングキャリアがセカンダリキャリアであれば、前記セカンダリキャリア上で送信されるシステム情報更新の通知を監視し、前記通知を受信した後、プライマリキャリアにおいて、更新後のシステム情報を受信する。
【０１１９】
可能な実施形態では、前記処理モジュールは、さらに、
前記ページングキャリアがセカンダリキャリアであれば、前記ページングキャリアと周辺セルのプライマリキャリアのチャネル品質を比較し、比較結果に基づいてセルを再選択する。
【０１２０】
同様な発明思想に基づき、本発明の実施例は基地局をさらに提供する。当該基地局の実施ついては方法の実施例の記載を参照することができるため、繰り返して説明しない。図４に示すように、当該基地局は、
システム情報をブロードキャストするブロードキャストモジュール４０１と、
前記ページングメッセージが受信されることを許可するためのキャリアにおいて、ページングメッセージを送信する送信モジュール４０２と、を備える。
前記ページングメッセージが受信されることを許可するためのキャリアは、プライマリキャリアであるか、または、セカンダリキャリアである。
前記システム情報には、ページングメッセージが受信されることを許可するためのキャリアの情報が含まれる。
【０１２１】
可能な実施形態では、前記ページングメッセージが受信されることを許可するためのキャリアの情報は、キャリアのダウンリンク動作周波数と、キャリアのアップリンク動作周波数と、キャリアのインデックスを示す情報と、利用可能なダウンリンクサブフレームのビットマップ構成と、ダウンリンクタイムスロットの設定と、帯域内キャリア情報と、プライマリキャリアまたはセカンダリキャリアのページング密度と、プライマリキャリアまたはセカンダリキャリアのデフォルトのページング周期と、ページングメッセージの送信を許可するプライマリキャリア及びセカンダリキャリア数と、のうちの１つまたはそれらの任意の組み合わせを含む。
【０１２２】
可能な実施形態では、前記送信モジュールは、さらに、システム情報が更新される場合、前記ページングメッセージが受信されることを許可するためのキャリアにより、システム情報更新の通知を送信する。
【０１２３】
可能な実施形態では、前記送信モジュールは、さらに、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知する。
【０１２４】
可能な実施形態では、前記送信モジュールが前記ページングメッセージが受信されることを許可するためのキャリアにおいて、ページングメッセージを送信する前、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する受信モジュールをさらに備える。
【０１２５】
同様な発明思想に基づき、本発明の実施例に係る端末，当該端末の実施については方法の実施例の記載を参照することができるため、繰り返して説明しない。図５に示すように、当該端末は、プロセッサ５０１と、メモリ５０２と、送受信機５０３と、を備える。ここで、前記送受信機５０３は、プロセッサ５０１の制御によりデータを送受信し、前記メモリ５０２はプリセットされたプログラムを格納する。
【０１２６】
前記プロセッサ５０１は、メモリ５０２に格納されたプログラムを読み出し、
送受信機５０３により、基地局により送信されたシステム情報を受信し、前記システム情報には、ページングメッセージが受信されることを許可するためのキャリアの情報が含まれ、
前記ページングメッセージが受信されることを許可するためのキャリアの情報及び所定のルールに基づき、ページングキャリアを決定し、前記ページングキャリアは、前記基地局のプライマリキャリアであるか、または、セカンダリキャリアであり、
送受信機５０３により、前記ページングキャリアにおいて、前記基地局により送信されたページングメッセージを受信する。
【０１２７】
可能な実施形態では、前記ページングメッセージが受信されることを許可するためのキャリアの情報は、キャリアのダウンリンク動作周波数と、キャリアのアップリンク動作周波数と、キャリアのインデックスを示す情報と、利用可能なダウンリンクサブフレームのビットマップ構成と、ダウンリンクタイムスロットの設定と、帯域内キャリア情報と、プライマリキャリアまたはセカンダリキャリアのページング密度と、プライマリキャリアまたはセカンダリキャリアのデフォルトのページング周期と、ページングメッセージの送信を許可するプライマリキャリア及びセカンダリキャリア数と、のうちの１つまたはそれらの任意の組み合わせを含む。
【０１２８】
可能な実施形態では、プロセッサ５０１は、数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定される。
【０１２９】
可能な実施形態では、プロセッサ５０１は、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たす。
ＰＣｉｎｔ＜（ｎＢ０）／ｎＢｍｉｎの場合、ＰＣｉｎｄｅｘは０であり、
2019525649.tif 000010
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定される。
【０１３０】
可能な実施形態では、プロセッサ５０１は、前記ページングキャリアに常駐し、前記ページングキャリアにおいて、前記基地局により送信されたページングメッセージを受信するように、送受信機５０３に指示する。
【０１３１】
可能な実施形態では、前記ページングキャリアが前記基地局のプライマリキャリアではなければ、プロセッサ５０１は、前記基地局のプライマリキャリアに常駐し、前記ページングキャリアのページング時点で、前記ページングキャリアにおいて、前記基地局により送信されたページングメッセージを受信するように、送受信機５０３に指示する。
【０１３２】
可能な実施形態では、前記ページングキャリアがセカンダリキャリアであれば、プロセッサ５０１は、送受信機５０３により、前記セカンダリキャリア上で送信されるシステム情報更新の通知を監視し、前記通知を受信した後、プライマリキャリアにおいて、更新後のシステム情報を受信する。
【０１３３】
可能な実施形態では、前記ページングキャリアがセカンダリキャリアであれば、プロセッサ５０１は、前記ページングキャリア及び周辺セルのプライマリキャリアのチャネル品質を比較し、比較結果に基づいてセルを再選択する。
【０１３４】
同様な発明思想に基づき、本発明の実施例に係る基地局，当該基地局の実施については方法の実施例の記載を参照することができるため、繰り返して説明しない。図６に示すように、当該基地局は、プロセッサ６０１と、メモリ６０２と、送受信機６０３と、を備える。ここで、前記送受信機６０３は、プロセッサ６０１の制御によりデータを送受信し、前記メモリ６０２はプリセットされたプログラムを格納する。
【０１３５】
前記プロセッサ６０１は、メモリ６０２に格納されたプログラムを読み出し、送受信機６０３により、システム情報をブロードキャストし、前記システム情報には、ページングメッセージが受信されることを許可するためのキャリアの情報が含まれ、
【０１３６】
前記ページングメッセージが受信されることを許可するためのキャリアにおいて、ページングメッセージを送信するように、送受信機６０３に指示し、前記ページングメッセージが受信されることを許可するためのキャリアは、プライマリキャリアであるか、または、セカンダリキャリアである。
【０１３７】
可能な実施形態では、前記ページングメッセージが受信されることを許可するためのキャリアの情報は、キャリアのダウンリンク動作周波数と、キャリアのアップリンク動作周波数と、キャリアのインデックスを示す情報と、利用可能なダウンリンクサブフレームのビットマップ構成と、ダウンリンクタイムスロットの設定と、帯域内キャリア情報と、プライマリキャリアまたはセカンダリキャリアのページング密度と、プライマリキャリアまたはセカンダリキャリアのデフォルトのページング周期と、ページングメッセージの送信を許可するプライマリキャリア及びセカンダリキャリア数と、のうちの１つまたはそれらの任意の組み合わせを含む。
【０１３８】
可能な実施形態では、プロセッサシステム情報が更新される場合、前記ページングメッセージが受信されることを許可するためのキャリアにより、システム情報更新の通知を送信するように、送受信機を指示する。
【０１３９】
可能な実施形態では、プロセッサは、端末がセカンダリキャリアにおいてページングメッセージを受信する機能をサポートするかどうかを取得し、前記セカンダリキャリアにおいてページングメッセージを受信する機能をサポートするかどうかをＭＭＥに通知する。
【０１４０】
可能な実施形態では、プロセッサは、前記ページングメッセージが受信されることを許可するためのキャリアにおいて、ページングメッセージを送信するように、送受信機に指示する前、送受信機により、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する。
【０１４１】
上記技術案によれば、本発明に係る実施例では、端末は、基地局により送信されたシステム情報を受信し、当該システム情報には、ページングメッセージが受信されることを許可するためのキャリアの情報が含まれる，当該ページングメッセージが受信されることを許可するためのキャリアの情報及び所定のルールに基づき、ページングキャリアを決定した後、当該ページングキャリアにおいて、基地局により送信されたページングメッセージを受信し、当該ページングキャリアは、基地局のプライマリキャリアであるか、またはセカンダリキャリアであり、これにより、プライマリキャリア及びセカンダリキャリアにおいて、ページングを送信することができ、ＮＢ−ＩｏＴシステムのページング容量を向上する。ＮＢ−ＩｏＴシステムでは、プライマリキャリアにおいてのみページングを送信でき、セカンダリキャリアにおいてページングを送信できないため、システム全体のページング容量は限られており、したがって多数のＮＢ−ＩｏＴ端末のためによりよいサービスを提供することができないという従来の問題点を解決する。
【０１４２】
当業者は、本発明の実施形態が、方法、システムまたはコンピュータプログラム製品を提供できるため、本発明の完全なハードウェア実施形態、完全なソフトウェア実施形態、またはソフトウェアとハードウェアの両方を結合した実施形態を採用できることが理解できるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施される。
【０１４３】
以上、本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム命令を実行し、フロー図における一つまたは複数のフローおよび／またはブロック図における一つまたは複数のブロックに指定する機能を実現する。
【０１４４】
これらのコンピュータプログラム命令は、また、コンピュータまたは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つまたは複数のフローおよび／またはブロック図における一つまたは複数のブロックに指定する機能を実現する。
【０１４５】
これらコンピュータプログラム命令はさらに、コンピュータまたは他のプログラム可能なデータ処理装置設備に実装もできる。コンピュータプログラム命令が実装されたコンピュータまたは他のプログラム可能設備は、一連の操作ステップを実行することによって、関連する処理を実現し、コンピュータまたは他のプログラム可能な設備において実行される命令によって、フロー図における一つまたは複数のフローおよび／またはブロック図における一つまたは複数のブロックに指定する機能を実現する。
【０１４６】
上述した実施形態に記述された技術的な解決手段を改造し、またはその中の一部の技術要素を置換することもできる。そのような改造と置換は、本発明の各実施形態の技術の範囲から逸脱するとは見なされない。
【０１４７】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2019525649.tif 000013
【図２】
2019525649.tif 000014
【図３】
2019525649.tif 000015
【図４】
2019525649.tif 000016
【図５】
2019525649.tif 000017
【図６】
2019525649.tif 000018
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
端末が、基地局により送信されたシステム情報を受信するステップと、
前記端末が、前記ページングメッセージが受信されることを許可するためのキャリアの情報及び所定のルールに基づき、ページングキャリアを決定するステップと、
前記端末が、前記ページングキャリアにおいて、前記基地局により送信されたページングメッセージを受信するステップと、を含み、
前記システム情報には、ページングメッセージが受信されることを許可するためのキャリアの情報が含まれ、
前記ページングキャリアは、前記基地局のプライマリキャリアであるか、または、セカンダリキャリアであることを特徴とするページングメッセージの受信方法。
【請求項２】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項１に記載のページングメッセージの受信方法。
【請求項３】
前記端末が、前記ページングメッセージが受信されることを許可するためのキャリアの情報及び所定のルールに基づき、ページングキャリアを決定する場合、
前記端末は、数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定され、
又は、
前記端末が、前記ページングメッセージが受信されることを許可するためのキャリアの情報及び所定のルールに基づき、ページングキャリアを決定する場合、
前記端末は、数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000019
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定されることを特徴とする請求項１に記載のページングメッセージの受信方法。
【請求項４】
前記端末が、前記ページングキャリアにおいて、前記基地局により送信されたページングメッセージを受信する場合、
前記端末は、前記ページングキャリアに常駐し、前記ページングキャリアにおいて、前記基地局により送信されたページングメッセージを受信し、
又は、
前記ページングキャリアが前記基地局のプライマリキャリアではなければ、前記端末は、前記基地局のプライマリキャリアに常駐し、前記ページングキャリアのページング時点で、前記ページングキャリアにおいて、前記基地局により送信されたページングメッセージを受信し、
また、前記方法において、
前記ページングキャリアがセカンダリキャリアであれば、前記端末は、前記セカンダリキャリア上で送信されるシステム情報更新の通知を監視し、前記通知を受信した後、プライマリキャリアにおいて、更新後のシステム情報を受信することを特徴とする請求項１乃至３のいずれか１項に記載のページングメッセージの受信方法。
【請求項５】
基地局が、システム情報をブロードキャストするステップと、
前記基地局が、前記ページングメッセージが受信されることを許可するためのキャリアにおいて、ページングメッセージを送信するステップと、を含み、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアであることを特徴とするページングメッセージの送信方法。
【請求項６】
前記ページングメッセージが受信されることを許可するためのキャリアの情報は、
キャリアのダウンリンク動作周波数と
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項５に記載のページングメッセージの送信方法。
【請求項７】
前記基地局は、システム情報が更新される場合、前記ページングメッセージが受信されることを許可するためのキャリアにより、システム情報更新の通知を送信し、
前記方法において、
前記基地局は、端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知し、
前記基地局が、前記ページングメッセージが受信されることを許可するためのキャリアにおいて、ページングメッセージを送信する前、
前記基地局は、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定することを特徴とする請求項６に記載のページングメッセージの送信方法。
【請求項８】
基地局により送信されたシステム情報を受信する第１受信モジュールと、
前記ページングメッセージが受信されることを許可するためのキャリアの情報及び所定のルールに基づき、ページングキャリアを決定する処理モジュールと、
前記ページングキャリアにおいて、前記基地局により送信されたページングメッセージを受信する第２受信モジュールと、を備え、
前記システム情報には、ページングメッセージが受信されることを許可するためのキャリアの情報が含まれ、
前記ページングキャリアは、前記基地局のプライマリキャリアであるか、または、セカンダリキャリアであることを特徴とする端末。
【請求項９】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項８に記載の端末。
【請求項１０】
前記処理モジュールは、
数式ＰＣ＝ｆｌｏｏｒ（ＵＥ＿ＩＤ／（Ｎ＊Ｎｓ））ｍｏｄＮｃによりページングキャリアを決定し、ここで、ＰＣはページングキャリアに対応するインデックスを示し、Ｎはｍｉｎ（Ｔ，ｎＢ）として示され、ｎＢはページング密度を示し、Ｔはデフォルトのページング周期を示し、Ｎｓはｍａｘ（１，ｎＢ／Ｔ）として示され、Ｎｃはページングキャリアの総数を示し、前記ページングキャリアの総数は、すべてのページングメッセージの送信を許可するプライマリキャリア及びセカンダリキャリア数を含み、ＵＥ＿ＩＤは、前記端末の識別子により決定され、
又は、
数式ＰＣｉｎｔ＝ｆｌｏｏｒ（ＵＥ＿ＩＤ／ｎＢｍｉｎ）ｍｏｄ（ｎＢａｌｌ／ｎＢｍｉｎ）によりページングキャリア初期判定変数を決定し、前記ページングキャリア初期判定変数に基づき、ページングキャリアを決定し、前記ページングキャリア初期判定変数と前記ページングキャリアは、制約条件を満たし、
ＰＣｉｎｔ＜（ｎＢ０）／ｎＢｍｉｎの場合、ＰＣｉｎｄｅｘは０であり、
2019525649.tif 000020
の場合、対応するＰＣｉｎｄｅｘの値はｉであり、ｉは整数であり、ｉ≧１であり、
ここで、ＰＣｉｎｔは前記ページングキャリア初期判定変数を示し、ＰＣｉｎｄｅｘは前記ページングキャリアのインデックスを示し、ｎＢはページング密度を示し、ｎＢａｎｃｈｏｒはプライマリキャリアのページング密度を示し、ｎＢｎｏｎ−ａｎｃｈｏｒは、セカンダリキャリアページング密度を示し、ｎＢｍｉｎ＝ｍｉｎ（ｎＢａｎｃｈｏｒ，ｎＢｎｏｎ−ａｎｃｈｏｒ）であり、ｎＢａｌｌ＝ｎＢａｎｃｈｏｒ＋ｎＢｎｏｎ−ａｎｃｈｏｒであり、ｎＢｉはインデックスがｉであるキャリアのページング密度を示し、ｉ＝０，１，…，ｎＢａｌｌ−１であり、ｎＢ０はプライマリキャリアのページング密度を示し、ＵＥ＿ＩＤは、前記端末の識別子により決定されることを特徴とする請求項８に記載の端末。
【請求項１１】
前記第２受信モジュールは、
前記ページングキャリアに常駐し、前記ページングキャリアにおいて、前記基地局により送信されたページングメッセージを受信し、
又は、
前記基地局のプライマリキャリアに常駐し、前記ページングキャリアのページング時点で、前記ページングキャリアにおいて、前記基地局により送信されたページングメッセージを受信し、
前記第２受信モジュールは、
前記ページングキャリアがセカンダリキャリアであれば、前記セカンダリキャリア上で送信されるシステム情報更新の通知を監視し、前記通知を受信した後、プライマリキャリアにおいて、更新後のシステム情報を受信することを特徴とする請求項８乃至１０のいずれか１項に記載の端末。
【請求項１２】
システム情報をブロードキャストするブロードキャストモジュールと、
前記ページングメッセージが受信されることを許可するためのキャリアにおいて、ページングメッセージを送信する送信モジュールと、を備え、
前記システム情報には、ページングメッセージが受信されることを許可するためのキャリアの情報が含まれ、
前記ページングメッセージが受信されることを許可するためのキャリアは、プライマリキャリアであるか、または、セカンダリキャリアであることを特徴とする基地局。
【請求項１３】
前記ページングメッセージが受信されることを許可するためのキャリアの情報は、
キャリアのダウンリンク動作周波数と、
キャリアのアップリンク動作周波数と、
キャリアのインデックスを示す情報と、
利用可能なダウンリンクサブフレームのビットマップ構成と、
ダウンリンクタイムスロットの設定と、
帯域内キャリア情報と、
プライマリキャリアまたはセカンダリキャリアのページング密度と、
プライマリキャリアまたはセカンダリキャリアのデフォルトのページング周期と、
ページングメッセージの送信を許可するプライマリキャリア及びセカンダリキャリア数と、のうちの１つまたはそれらの任意の組み合わせを含むことを特徴とする請求項１２に記載の基地局。
【請求項１４】
前記送信モジュールは、
システム情報が更新される場合、前記ページングメッセージが受信されることを許可するためのキャリアにより、システム情報更新の通知を送信し、
また、前記送信モジュールは、
端末がセカンダリキャリアにおいてページングメッセージを受信する機能をサポートするかどうかを取得し、前記セカンダリキャリアにおいてページングメッセージを受信する機能をサポートするかどうかを、モビリティ管理エンティティ（ＭＭＥ）に通知し、
前記基地局は、
前記送信モジュールが、前記ページングメッセージが受信されることを許可するためのキャリアにおいて、ページングメッセージを送信する前、モビリティ管理エンティティ（ＭＭＥ）からの通信を受信する端末が、セカンダリキャリアにおいて、ページングメッセージを受信する機能をサポートするかどうか、及び、前記端末がセカンダリキャリアにおいてページングメッセージを受信する機能をサポートするかどうかを決定する受信モジュールをさらに備えることを特徴とする請求項１２に記載の基地局。
【国際調査報告】
2019525649.tif 000021
2019525649.tif 000022
2019525649.tif 000023
2019525649.tif 000024